(57)【要約】【課題】  表示画面以外の部分（表示画像の背景）の混合効果や表示画面の残像効果による悪影響を低減することにより、表示画像を鮮明化し、特に動画の視認性を高めることができる構成を提供する。【解決手段】  本発明の電気光学装置は、表示画面１１０Ａを備えた電気光学表示体１１０と、電気光学表示体を自転可能に案内する軸支構造１２０とを有する電気光学装置であって、電気光学表示体は、表示画面とは異なる自転角度位置に表示画面で実現し得る最低明度以下の明度を有する一様な背景表示面１１０Ｂを有することを特徴とする。【選択図】図１
2005189620.tif 000002
【特許請求の範囲】
【請求項１】
表示画面を備えた電気光学表示体と、前記電気光学表示体を自転可能に案内する軸支構造とを有する電気光学装置であって、
前記電気光学表示体は、前記表示画面とは異なる自転角度位置に前記表示画面で実現し得る最低明度以下の明度を有する一様な背景表示面を有することを特徴とする電気光学装置。
【請求項２】
前記表示画面と前記背景表示面は、前記電気光学表示体の自転軸にて実質的に直交するように構成されていることを特徴とする請求項１に記載の電気光学装置。
【請求項３】
前記表示画面と前記背景表示面は、前記電気光学表示体の自転軸の周囲において自転方向に見て交互に配列されていることを特徴とする請求項１に記載の電気光学装置。
【請求項４】
請求項１乃至３のいずれか一項に記載の電気光学装置と、前記電気光学表示体を回転駆動する駆動手段と、前記電気光学表示体の前記表示画面を表示制御する表示制御手段とを有することを特徴とする電子機器。
【請求項５】
表示画面を備えた電気光学表示体と、前記電気光学表示体を自転可能に案内する軸支構造と、前記電気光学表示体を回転駆動する駆動手段と、前記電気光学表示体の前記表示画面を表示制御する表示制御手段とを有する電子機器であって、
前記電気光学表示体は、その自転周期と同期した表示位相で所定の自転角度位置において前記表示画面に画像を表示するとともに、前記画像の表示間に、前記所定の自転角度位置において前記表示画面に前記画像の最低明度以下の明度を有する一様な背景画像を表示することを特徴とする電子機器。
【請求項６】
表示画面を備えた電気光学表示体と、前記電気光学表示体を自転可能に案内する軸支構造と、前記電気光学表示体を回転駆動する駆動手段と、前記電気光学表示体の前記表示画面を表示制御する表示制御手段とを有する電子機器であって、
前記電気光学表示体はその自転方向に配列された複数の前記表示画面を有し、前記電気光学表示体は、その自転周期と同期した表示位相で所定の自転角度位置において一の前記表示画面に画像を表示するとともに、前記画像の表示間に、他の前記表示画面により前記所定の自転角度位置において前記一の表示画面に表示された前記画像の最低明度以下の明度を有する一様な背景画像を表示することを特徴とする電子機器。
【発明の詳細な説明】
【技術分野】
【０００１】
本発明は電気光学装置及び電子機器に係り、特に、表示画面を自転させて所要の表示態様を得るように構成された表示装置として用いる場合に好適な電気光学装置及び電子機器の構成に関する。
【背景技術】
【０００２】
従来から、表示画面を備えた液晶表示体を自転させることにより、異なる方向に異なる画像を表示したり、３次元的な画像を形成したりする回転型のバーチャルディスプレイシステムが知られている（例えば、以下の非特許文献１参照）。この種のシステムでは、液晶表示体を高速に自転させるとともに、その自転周期に同期させて表示画面を切り換えることで、視覚の残像を利用して特定方向から静止画像や動画を視認できるように構成されている。
【０００３】
また、上記のシステムと類似した装置として、自転するスクリーンに対して立体の断面像を投影する手段を備えた立体画像表示装置がある（例えば、以下の特許文献１参照）。この装置は、自転するスクリーンに表示対象物の断面画像を順次投影することにより、視覚の残像効果を利用して立面画像を表示する。この立体画像表示装置は、スクリーンに立体画像を構成する断面画像を投影するための光学系や各種データ処理を行うためのハウジング、及び、ハウジングの上部に設けられて内部に回転するスクリーンを収容する円筒状の風防を備えている。この風防はスクリーンを収容する内部空間を密閉している。
【非特許文献１】前田寛幸、他３名、「実空間ビデオアバタのための全周ディスプレイシステムの試作と評価」  日本バーチャルリアリティ学界第８回大会論文集  Ｐ．１１５−１１８（２００３年９月）
【特許文献１】特開２００１−１９７５２４号公報
【発明の開示】
【発明が解決しようとする課題】
【０００４】
しかしながら、上記従来のバーチャルディスプレイシステムでは、液晶表示体の表示画面が特定角度方向を向いたときに所定の画像を表示するように構成することにより、視覚の残像効果によって特定角度方向において静止画像や動画が視認可能となるように構成したものであるため、液晶表示体の輝度が低い場合には、液晶表示体の表示画面の表示画像と、表示画面以外の部分（表示画像の背景）とが混ざり合い、画像を明瞭に視認することができない。また、液晶表示体の輝度を高くすると、前回の表示画像による残像が視認性を妨げるため、画面の切れが悪化し、特に動画を表示する場合に視認性が悪くなるという問題点がある。
【０００５】
そこで、本発明は上記問題点を解決するものであり、その課題は、表示画面以外の部分（表示画像の背景）の混合効果や表示画面の残像効果による悪影響を低減することにより、表示画像を鮮明化し、特に動画の視認性を高めることができる構成を実現することにある。
【課題を解決するための手段】
【０００６】
本発明の電気光学装置は、表示画面を備えた電気光学表示体と、前記電気光学表示体を自転可能に案内する軸支構造とを有する電気光学装置であって、前記電気光学表示体は、前記表示画面とは異なる自転角度位置に前記表示画面で実現し得る最低明度以下の明度を有する一様な背景表示面を有することを特徴とする。
【０００７】
これによれば、電気光学表示体の表示画面とは異なる自転角度位置に低い明度の背景表示面が設けられていることにより、電気光学表示体が自転すると、前後に表示される画像の間に背景表示面が視認されるため、表示画面に画像が表示されている時間以外の時間の背景の平均明度が低下することから、背景の混合効果が低減され、表示画像をより鮮明に視認できるようになる。また、表示画像の残像効果が低い明度の背景表示面によって低減されるので、表示画像の切れを高めることができ、動画の視認性を向上させることができる。
【０００８】
ここで、表示画面で実現し得る最低明度以下の明度を有する一様な背景表示面としては、一様な黒色面が最も好ましい。
【０００９】
本発明において、前記表示画面と前記背景表示面は、前記電気光学表示体の自転軸にて実質的に直交するように構成されていることが好ましい。これによれば、表示画面と背景表示面とが直交していることにより、表示画面を視認するときには背景表示面の視覚的影響を低減でき、また、背景表示面を視認するときには表示画面の視覚的影響を低減できる。
【００１０】
本発明において、前記表示画面と前記背景表示面は、前記電気光学表示体の自転軸の周囲において自転方向に見て交互に配列されていることが好ましい。これによれば、表示画面と背景表示面と個々の視認性を犠牲にすることなく、表示画面上に形成される表示画像と、背景表示面とを交互に視認させることが可能になる。
【００１１】
本発明の電子機器は、上記のいずれか一項に記載の電気光学装置と、前記電気光学表示体を回転駆動する駆動手段と、前記電気光学表示体の前記表示画面を表示制御する表示制御手段とを有することを特徴とする。本発明の電子機器としては、多方向から同一若しくは異なる画像を視認できる表示機器、立体的な画像を視認できる表示機器、多方向に画像を投影できる画像投射機器などが挙げられる。
【００１２】
また、本発明の異なる電子機器は、表示画面を備えた電気光学表示体と、前記電気光学表示体を自転可能に案内する軸支構造と、前記電気光学表示体を回転駆動する駆動手段と、前記電気光学表示体の前記表示画面を表示制御する表示制御手段とを有する電子機器であって、前記電気光学表示体は、その自転周期と同期した表示位相で所定の自転角度位置において前記表示画面に画像を表示するとともに、前記画像の表示間に、前記所定の自転角度位置において前記表示画面に前記画像の最低明度以下の明度を有する一様な背景画像を表示することを特徴とする。
【００１３】
この発明によれば、所定の自転角度位置において、画像の間に低明度の背景画像が表示されるので、上記と同様の理由により画像の鮮明化を図ることができるとともに、動画の視認性を高めることができる。
【００１４】
さらに、本発明の別の電子機器は、表示画面を備えた電気光学表示体と、前記電気光学表示体を自転可能に案内する軸支構造と、前記電気光学表示体を回転駆動する駆動手段と、前記電気光学表示体の前記表示画面を表示制御する表示制御手段とを有する電子機器であって、前記電気光学表示体はその自転方向に配列された複数の前記表示画面を有し、前記電気光学表示体は、その自転周期と同期した表示位相で所定の自転角度位置において一の前記表示画面に画像を表示するとともに、前記画像の表示間に、他の前記表示画面により前記所定の自転角度位置において前記一の表示画面に表示された前記画像の最低明度以下の明度を有する一様な背景画像を表示することを特徴とする。
【００１５】
この発明によっても、所定の角度位置において、一の表示画面により画像が表示されるとともにその画像の間に他の表示画面により低明度の背景画像が表示されるので、上記と同様の理由により画像の鮮明化を図ることができるとともに、動画の視認性を高めることができる。
【発明を実施するための最良の形態】
【００１６】
次に、添付図面を参照して本発明の実施形態について詳細に説明する。なお、以下に説明する各実施形態は、いずれも本発明に係る電気光学装置を備えた電子機器（表示装置）として説明するが、各種の電子機器に搭載される電気光学装置単体として構成することもできる。また、以下の各実施形態では、電気光学表示体として液晶表示体を用いる構成例のみを示すが、他の電気光学表示体、例えば、エレクトロルミネッセンス表示体、有機エレクトロルミネッセンス表示体、プラズマディスプレイ表示体、電気泳動ディスプレイ表示体、電子放出素子を用いた表示体（Field Emission Display 及び Surface-Conduction Electron-Emitter Display 等）などの各種の電気光学表示体においても本発明を同様に適用することが可能である。
【００１７】
［第１実施形態］
図１は本発明に係る電子機器の第１実施形態である表示装置１００の前方斜視図（ａ）及び後方斜視図（ｂ）、図２は同表示装置１００の縦断面図である。この表示装置１００は、電気光学表示体１１０と、この電気光学表示体１１０を自転可能に軸支する軸支構造１２０とを有する。これらの電気光学表示体１１０及び軸支構造１２０は本発明に係る電気光学装置に相当するものである。
【００１８】
電気光学表示体１１０はその表面に表示画面１１０Ａを備えている。また、軸支構造１２０は、電気光学表示体１１０を支持する支持軸１２１と、この支持軸１２１を回転自在に軸支する軸受１２２とを有する。また、ケース１０１には、上記支持軸１２１を回転駆動するための駆動手段である駆動モータ１０２と、支持軸１２１を介して電気光学表示体１１０に電力や制御信号などを供給する制御手段１０３とが収容されている。
【００１９】
ここで、電気光学表示体１１０を覆う保護部材１３０（図１に一点鎖線で示す。）を設けることが好ましい。この保護部材１３０は、透明な素材で構成されていることが望ましいが、その少なくとも一部に上記表示画面１１０Ａを視認可能とする透光部を有するものであればよい。ここで、保護部材１３０により電気光学表示体１１０を密封することが騒音を低減し、安全性を確保する上で望ましい。
【００２０】
電気光学表示体１１０は板状（フラットパネル状）に構成され、少なくとも片面に表示画面１１０Ａを備えている。この電気光学表示体１１０の自転軸１１０Ｘは、表示画面１１０Ａの法線（垂線）と非平行であればよいが、特に表示画面１１０Ａと平行に設定されていることが好ましい。また、図示例では自転軸１１０Ｘは垂直軸であるが、表示画面１１０Ａと平行であれば、斜め方向や水平方向に設定されていてもよい。特に、自転軸１１０Ｘは、図示例のように表示画面１１０Ａ若しくは電気光学表示体１１０の中心部を通過するように設定されていることが望ましい。
【００２１】
電気光学表示体１１０の上記表示画面１１０Ａの裏側には、表示画面１１０Ａの最低明度（黒表示のときの明度）以下の明度となるように一様に着色された背景表示面１１０Ｂが形成されている。この背景表示面１１０Ｂは、単に黒色の塗装を施した面である。ただし、後述するように、この背景表示面１１０Ｂを、上記表示画面１１０Ａと同様の表示画面で構成することも可能である。この場合には、表示画面１１０Ａを視認する観察者がその裏側の背景表示面１１０Ｂを見るときには、そこに低明度の背景画像が表示されるように制御される。
【００２２】
なお、保護部材１３０の内面は、自転する電気光学表示体１１０の軌跡が通過占有する自転空間の外周形状と同軸相似形の内周形状を備えていることが好ましい。これによって、内部の気流の乱れを最小限にとどめることができ、騒音や回転負荷を低減することができる。
【００２３】
保護部材１３０の少なくとも透光部には、その外面若しくは内面における表面反射を低減するための反射防止手段が設けられていることが好ましい。この反射防止手段としては、例えば、保護部材１３０の表面上に形成された反射防止膜（ＡＲコーティング膜）が挙げられる。この反射防止膜としては、下地の保護部材１３０の透光部と屈折率が異なり、可視光の半波長程度の膜厚を有する単層構造を有するものや、屈折率の異なる層を交互に積層させてなる多層構造を有するものなどの、光の干渉を利用して反射光を打ち消すものがある。さらに、保護部材１３０の透光部自体を、反射防止機能を有するもの、たとえば上記の多層構造などで構成してもよい。
【００２４】
図８は、本実施形態の表示装置１００に対する画像情報の供給方法（システム）を模式的に示す概略構成図である。画像情報は、例えば、表示装置１００によって複数（図示例では４つ）の画面を表示する場合、撮影系２００を用いて共通の撮影対象から撮像装置（カメラ）２０１により複数の画像情報を取得し、これらの複数の画像情報を画像合成器２０２によって合成する。この合成画像情報は制御用ＰＣなどの処理装置４００によって処理され、上記の表示装置１００の制御手段１０３に送られる。また、記録系３００に設けられた複数の記録手段３０１にてそれぞれ記録された画像情報を直接処理装置４００によって処理し、上記の表示装置１００に合成画像情報として送ることもできる。
【００２５】
図９は、上記の電気光学表示体１１０を構成する液晶装置の概略斜視図である。電気光学表示体１１０は、ガラスなどで構成される基板１１１と１１２とをシール材１１３を介して貼り合わせ、その内側に図示しない液晶を封入してなる。ここで、液晶はシール材１１３の開口部１１３ａから注入され、その後、封止材１１３ｂによって開口部１１３ａは封鎖されている。基板１１１の内面上には電極１１１ａが形成され、基板１１２の内面上には電極１１２ａが形成され、電極１１１ａと１１２ａとが対向する部分が画素を構成する領域となっている。電極１１１ａは配線１１１ｂに接続され、電極１１２ａは配線１１１ｃに接続されている。
【００２６】
基板１１１には基板１１２の外形よりも張り出してなる基板張出部１１１Ｔが設けられ、この基板張出部１１１Ｔ上に上記配線１１１ｂ，１１１ｃが引き出されている。また、配線１１１ｂの外周側には入力端子列１１５が形成されている。基板張出部１１１Ｔ上には、液晶駆動回路などを構成する半導体装置１１６，１１７が実装されている。半導体装置１１６は上記配線１１１ｂ及び入力端子列１１５に導電接続されている。また、半導体装置１１７は、上記配線１１１ｃと、入力端子列１１５に接続された連絡配線１１４とに導電接続されている。基板張出部１１１Ｔの端部には配線基板１１８が実装され、この配線基板１１８内の各配線は、入力端子列１１５の各端子に導電接続されている。
【００２７】
なお、図示例ではパッシブマトリクス型の液晶パネル構造を示してあるが、本実施形態においては、ＴＦＴ（薄膜トランジスタ）やＴＦＤ（薄膜ダイオード）などの能動素子を備えたアクティブマトリクス型の液晶パネル構造を用いることもできる。また、図示例では透過型の液晶パネル構造を示してあるが、半透過反射型の液晶パネル構造を用いてもよい。
【００２８】
電気光学表示体１１０は、上記液晶パネルの背後に照明装置（バックライト）１１９を備えている。この照明装置１１９は、ＬＥＤなどの発光素子で構成される光源１１９Ａと、この光源１１９Ａに対向配置される端面（光入射面）を備えた導光板１１９Ｂを有し、光源１１９Ａから放出された光を導光板１１９Ｂの上記端面から内部に導入し、その板面から放出するように構成することにより、面状光源として機能するように構成される。具体的には、導光板１１９Ｂの背面側には、光を前面側に反射させる反射板１１９Ｃが配置されることが好ましく、また、導光板１１９Ｂの前面側には、光を拡散させる拡散板や光の照射方向を揃える集光板１１９Ｄなどが配置されることが望ましい。なお、上記光源１１９Ａは上記配線基板１１８に実装されることが望ましい。
【００２９】
図１０は、本実施形態の全体構成を示す概略構成図である。本実施形態の上記電気光学表示体１１０には、上述の構成を有する表示パネル１１０Ｐと、この表示パネル１１０Ｐを駆動する駆動回路１１０Ｄが設けられている。この駆動回路１１０Ｄは、上述の半導体装置１１６，１１７によって構成されるが、一般的には、表示パネル１１０Ｐに直接実装されている電子部品（半導体ＩＣなど）、パネル表面上に形成された回路パターン、或いは、表示パネル１１０Ｐに導電接続された回路基板（上記配線基板１１８など）に実装された半導体ＩＣチップ若しくは回路パターンなどの種々の構成が可能である。
【００３０】
制御手段１０３には、主制御部１０３Ａと、電気光学表示体１１０の表示状態を制御する表示制御部１０３Ｃと、上記駆動モータ１０２を駆動する駆動回路１０３Ｄとが設けられている。また、表示制御部１０３Ｃには、表示情報出力源１０３１と、表示情報処理回路１０３２と、電源回路１０３３と、タイミングジェネレータ１０３４と、光源制御回路１０３５とが設けられている。
【００３１】
表示情報出力源１０３１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１０３４によって生成された各種のクロック信号に基づいて、所定フォーマットの画像信号等の形で表示情報を表示情報処理回路１０３２に供給するように構成されている。この表示情報出力源１０３１は、上記主制御部１０３Ａからの制御信号に基づいて表示情報を出力する。
【００３２】
表示情報処理回路１０３２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１１０Ｄへ供給する。駆動回路１１０Ｄは、走査線駆動回路、信号線駆動回路及び検査回路を含む。また、電源回路１０３３は、上述の各構成要素にそれぞれ所定の電圧を供給する。
【００３３】
タイミングジェネレータ１０３４は、主制御部１０３Ａから受ける制御信号に応じてタイミング信号を生成し、これによって表示制御部１０３Ｃの表示制御タイミングを制御する。例えば、電気光学表示体１１０の自転角度位置を検出器１２１ｓ（支持軸１２１の回転角度を検出するエンコーダなどの角度位置検出器などで構成できる。）によって検出する場合には、主制御部１０３Ａが検出器１２１ｓの検出信号に応じてタイミングジェネレータ１０３４を制御することで、表示制御部１０３Ｃの表示制御タイミングを設定し、これによって電気光学表示体１１０の表示タイミングをその自転角度位置に対応させることができる。
【００３４】
光源制御回路１０３５は、主制御部１０３Ａの制御信号に基づいて、電源回路１０３３から供給される電力を照明装置１１９の光源１１９Ａに供給する。光源１０９Ａから放出された光は導光板１０９Ｂに入射して表示パネル１１０Ｐに照射される。この光源制御回路１０３５は、上記制御信号に応じて光源１１９Ａの点灯／非点灯を制御する。また、光源の輝度を制御することも可能である。
【００３５】
本実施形態では、電気光学表示体１１０を高速で自転させ、電気光学表示体１１０の表示画面１１０Ａが所定の自転角度位置を向く度に表示画面１１０Ａに所定の画像を表示することにより、上記所定の自転角度位置において視認する観察者は、その視覚の残像効果によって上記の所定の画像を視認することができる。この場合、異なる自転角度位置において異なる画像を表示することで、複数の方角から視認したときに、異なる画像を視認できるように構成することもできる。
【００３６】
しかしながら、上記の所定の自転角度位置においては、表示画面１１０Ａが観察者に向かう角度範囲にあるときには表示画面１１０Ａに所定の画像が表示されるが、表示画面１１０Ａがその角度範囲を外れているときには所定の画像は表示されず、また、表示画面１１０Ａに他の画像が表示されていても観察者に正対していないため、それらの画像を視認することはできない。したがって、観察者が上記の所定の画像を構成する光を実際に受けていない期間において表示画面１１０Ａから観察者に向けて放射される光が上記所定の画像を視認しにくくするため、観察者の目には図３に点線で示すような明度変化が生じ、画像の鮮明性が低下してしまう。また、所定の画像が時間的に急激に移り変わる場合には、視覚の残像効果によって画像の変化が捉えにくくなり、動画像の視認性も低下してしまう。
【００３７】
そこで、本実施形態では、上記の所定の自転角度位置において、観察者は、所定の画像が表示画面１１０Ａに表示される間に、表示画面１１０Ａの最低明度以下の明度の一様な背景表示面１１０Ｂを視認するように構成している。これによって、図３に実線で示すように、観察者に正対した表示画面１１０Ａに表示される画像以外の背景明度が低下するため、背景明度の混合効果による画像の鮮明性の低下を防止することができ、また、視覚の残像効果も低減されるため、視認画像の切れが高まり、動画の視認性が向上する。
【００３８】
なお、上述のように、背景表示面１１０Ｂを、上記表示画面１１０Ａと同様に構成された背面側の表示画面によって構成することもできる。この場合には、背面側の表示画面が所定の自転角度位置に正対するときに、上記背景表示面と同様に、表示画面１１０Ａの最低明度以下の明度で一様な背景となるべき画像（例えば、全面黒色表示画像）を表示させることにより、上記と同様の効果を得ることができる。この場合、背面側の表示画面に、上記所定の自転角度位置とは異なる自転角度位置においては別の画像が表示されるように構成することもできる。
【００３９】
本実施形態では、所定の自転角度位置において表側の表示画面１１０Ａの画像の間に裏側の背景表示面１１０Ｂが向くように構成しているが、表示画面１１０Ａが所定の自転角度位置に正対する度に、所定の画像と、上記背景表示面と同様の画像（全面黒色表示画像）とを交互に表示させることにより、表示画面１１０Ａのみで上記効果を奏するように構成することも可能である。この場合には、表示画面１１０Ａの裏側に背景表示面１１０Ｂを形成する必要はない。
【００４０】
［第２実施形態］
次に、図４及び図５を参照して、本発明に係る第２実施形態の表示装置１００′について説明する。この実施形態では、図４及び図５中の第１実施形態と同一部分には同一符号を付し、また、図４及び図５に図示していない点については第１実施形態と同様であるので、それらの説明は省略する。
【００４１】
本実施形態においては、電気光学表示体１１０′のみが上記第１実施形態とは異なる。この電気光学表示体１１０′には、表示画面１１０Ａ′と、この表示画面１１０Ａ′の裏側に設けられた表示画面１１０Ｂ′とを有する。これらの表示画面１１０Ａ′、１１０Ｂ′はそれぞれ第１実施形態の図９に示す液晶表示体によって構成できる。表示画面１１０Ａ′と１１０Ｂ′とは、一体の板状の主枠部１１０Ｓ′の表面と裏面にそれぞれ設けられている。
【００４２】
本実施形態では、表示画面１１０Ａ′の中央部から外周側に伸び、表示画面１１０Ａ′と直交する背景表示板１１０Ｃ′が設けられている。また、表示画面１１０Ｂ′の中央部から外周側に伸び、表示画面１１０Ｂ′と直交する背景表示板１１０Ｄ′が設けられている。これらの背景表示板１１０Ｃ′及び１１０Ｄ′の表面は、表示画面１１０Ａ′及び１１０Ｂ′の最低明度よりも低い明度を有するように、例えば黒色に構成されている。背景表示板１１０Ｃ′及び１１０Ｄ′は、上記の主枠部１１０Ｓ′の両端部にそれぞれ一体に接続された環状の端枠部１１０Ｐ′によって支持されている。また、主枠部１１０Ｓ′の外端部は、上記背景表示板Ｃ１１０′及び１１０Ｄ′とほぼ同様の明度となるように、例えば黒色に構成されていることが好ましい。
【００４３】
本実施形態では、電気光学表示体１１０′が自転すると、特定の自転角度位置にいる観察者は、表示画面１１０Ａ′、背景表示板１１０Ｃ′及び１１０Ｄ′、表示画面１１０Ｂ′、１１背景表示板０Ｃ′及び１１０Ｄ′を順次視認することになり、表示画面１１０Ａ′の表示画像と、表示画面１１０Ｂ′の表示画像との間に、必ず低明度の背景表示板１１０Ｃ′及び１１０Ｄ′を視認することとなるため、第１実施形態と同様に、表示画像の鮮明化や動画の視認性の向上を図ることができる。
【００４４】
また、本実施形態では、背景表示板１１０Ｃ′及び１１０Ｄ′が設けられることで、電気光学表示体１１０′の自転軸１１０Ｘの周りの重量分布が緩和されるため、電気光学表示体１１０′の自転動作がスムーズになるという利点もある。
【００４５】
［第３実施形態］
次に、図６及び図７を参照して、本発明に係る第３実施形態の表示装置１００″について説明する。この実施形態では、図６及び図７中の第１実施形態と同一部分には同一符号を付し、また、図６及び図７に図示していない点については第１実施形態と同様であるので、それらの説明は省略する。
【００４６】
本実施形態においては、電気光学表示体１１０″のみが上記第１実施形態及び第２実施形態とは異なる。この電気光学表示体１１０″には、表示画面１１０Ａ″と、この表示画面１１０Ａ″の裏側に設けられた表示画面１１０Ｂ″とを有する。これらの表示画面１１０Ａ″と１１０Ｂ″はそれぞれ自転軸１１０Ｘを挟んで離間して設けられている。これらの表示画面は上記と同様の第１実施形態の図９に示す液晶表示体によってそれぞれ構成できる。
【００４７】
本実施形態では、自転軸１１０Ｘの周りにおいて表示画面１１０Ａ″と１１０Ｂ″の間に一対の背景表示板１１０Ｃ″及び１１０Ｄ″が配置されている。背景表示板１１０Ｃ″と１１０Ｄ″とは、相互に自転軸１１０Ｘを挟んで離間して設けられている。
【００４８】
より具体的には、図示例のように、自転軸１１０Ｘを取り囲むように設けられた枠体１１０Ｓ″に、上記の表示画面１１０Ａ″を備えた表示部、背景表示板１１０Ｃ″、表示画面１１０Ｂ″を備えた表示部、背景表示板１１０Ｄ″が自転方向に順次配列されるように固定されている。そして、このように構成された電気光学表示体１１０″を自転させることにより、特定の自転角度位置にいる観察者は、表示画面１１０Ａ″、背景表示板１１０Ｃ″、表示画面１１０Ｂ″、背景表示板１１０Ｄ″を順次視認することとなるので、上記第１実施形態と同様に、表示画像の鮮明化や動画の視認性の向上を図ることが可能になる。また、上記第２実施形態と同様に、自転軸１１０Ｘ周りの重量分布の緩和によって電気光学表示体１１０″のスムーズな自転状態を容易に得ることができる。
【００４９】
尚、本発明の電気光学装置及び電子機器は、上述の図示例にのみ限定されるものではなく、本発明の要旨を逸脱しない範囲内において種々変更を加え得ることは勿論である。たとえば、上記実施形態では、表示画面が１つの場合、２つの場合、４つの場合についてそれぞれ説明したが、表示画面が３つの場合、５つ以上の場合でも本発明を適用することが可能である。また、本発明においては黒色の背景表示を用いることが好ましいが、表示画面の最低明度以下の明度であれば、黒色でなく灰色などでも充分な効果を得ることが可能である。
【図面の簡単な説明】
【００５０】
【図１】第１実施形態の前方斜視図（ａ）及び後方斜視図（ｂ）。
【図２】第１実施形態の縦断面図。
【図３】第１実施形態の表示の明度変化を示すグラフ。
【図４】第２実施形態の斜視図。
【図５】第２実施形態の平面図。
【図６】第３実施形態の斜視図。
【図７】第３実施形態の平面図。
【図８】実施形態の画像情報供給方法或いはシステムの構成を模式的に示す説明図。
【図９】実施形態に用いる電気光学表示体の構成例を示す概略斜視図。
【図１０】実施形態の概略構成を示す概略構成ブロック図。
【符号の説明】
【００５１】
１００，１００′，１００″…表示装置、１０１…ケース、１０２…駆動モータ、１０３…制御手段、１１０，１１０′，１１０″…電気光学表示体、１１０Ａ、１１０Ａ′，１１０Ｂ′，１１０Ａ″、０１１０Ｂ″…表示画面、１１０Ｂ…背景表面、１１０Ｃ′，１１０Ｄ′，１１０Ｃ″，１１０Ｄ″…背景表示板、１２０…軸支構造、１３０…保護部材
【図１】
2005189620.tif 000003
【図２】
2005189620.tif 000004
【図３】
2005189620.tif 000005
【図４】
2005189620.tif 000006
【図５】
2005189620.tif 000007
【図６】
2005189620.tif 000008
【図７】
2005189620.tif 000009
【図８】
2005189620.tif 000010
【図９】
2005189620.tif 000011
【図１０】
2005189620.tif 000012